(57)【要約】【課題】係合溝が潰れたネジを容易に抜き取ることができるネジ抜取工具を提供する。【解決手段】ネジ頭部の係合溝が潰れたネジを抜き取るためのネジ抜取工具１であって、軸体１０１と、軸体１０１の先端部分に形成されており、先端に向かって先細りとなる形状を有するネジ抜取部１０２と、を備え、ネジ抜取部１０２の外周側には、刃先１０４ａが外周側に設けられた刃１０４であって、ネジ抜取部１０２の先端側から後端側に向かって螺旋状に伸びる１以上の刃１０４が形成されており、１以上の刃１０４の刃先１０４ａを含むテーパー面１０５の、軸体１０１の軸心１０１ａに対する傾斜角度が、２６．５度より大きくなるようにした。【選択図】図１
2019014023.tif 000002
【特許請求の範囲】
【請求項１】
ネジ頭部の係合溝が潰れたネジを抜き取るためのネジ抜取工具であって、
軸体と、
前記軸体の先端部分に形成されており、先端に向かって先細りとなる形状を有するネジ抜取部と、を備え、
前記ネジ抜取部の外周側には、刃先が外周側に設けられた刃であって、前記ネジ抜取部の先端側から後端側に向かって螺旋状に伸びる１以上の刃が形成されており、
前記１以上の刃の刃先を含むテーパー面の、前記軸体の軸心に対する傾斜角度が、２６．５度より大きいネジ抜取工具。
【請求項２】
前記ネジ抜取部の外周側には、複数の刃が並列するよう形成されている請求項１記載のネジ抜取工具。
【請求項３】
前記ネジ抜取部の外周側には、６つの刃が並列するよう形成されている請求項１または請求項２記載のネジ抜取工具。
【請求項４】
前記螺旋状の刃の回転方向は、前記ネジのネジ切り方向とは逆方向である請求項１から請求項３いずれか一項記載のネジ抜取工具。
【請求項５】
前記螺旋状の刃の後端側の側面が、前記テーパー面に対してなす角度が、当該刃の前端側の側面が、前記テーパー面に対してなす角度よりも大きい請求項１から請求項４いずれか一項記載のネジ抜取工具。
【請求項６】
前記ネジ抜取部の先端が面である請求項１から請求項５いずれか一項記載のネジ抜取工具。
【発明の詳細な説明】
【技術分野】
【０００１】
本発明は、ネジの抜取りに用いられる工具に関するものである。
【背景技術】
【０００２】
従来のネジの抜取りに用いられる工具として、柄の一端部を先尖に形成し、先端の先尖部よりテーパー状に後部が大径となる左ネジの抜き取りネジを形成してなるネジ抜き用ビットであって、抜き取りネジの刃先角θを４５°とし、先端から後側に向かって大径となる前記テーパー状のネジ部の角度αを１５〜２０°としていることを特徴とするネジ抜き用ビットが知られていた（例えば、特許文献１参照）。
【先行技術文献】
【特許文献】
【０００３】
【特許文献１】実願２００２−３３９７号公報（第１頁、第１図等）
【発明の概要】
【発明が解決しようとする課題】
【０００４】
しかしながら、従来の技術においては、ネジ回し用の係止穴が潰れたネジ頭部の中心部にあらかじめ下穴を穿設し、この下穴に抜き取りネジの先をネジ込み、ネジがネジ抜き用ビットと供回りするようにして、ネジを緩む方向に回転させて抜き取るため、ネジ頭部に予め下孔を穿設する必要があり、作業に手間がかかり、係止穴が潰れたネジを容易に抜き取ることができない、という課題があった。
【０００５】
本発明は、上記のような課題を解消するためになされたものであり、係合溝が潰れたネジを容易に抜き取ることができるネジ抜取工具を提供することを目的とする。
【課題を解決するための手段】
【０００６】
本発明のネジ抜取工具は、ネジ頭部の係合溝が潰れたネジを抜き取るためのネジ抜取工具であって、軸体と、軸体の先端部分に形成されており、先端に向かって先細りとなる形状を有するネジ抜取部と、を備え、ネジ抜取部の外周側には、刃先が外周側に設けられた刃であって、ネジ抜取部の先端側から後端側に向かって螺旋状に伸びる１以上の刃が形成されており、１以上の刃の刃先を含むテーパー面の、軸体の軸心に対する傾斜角度が、２６．５度より大きいネジ抜取工具である。
【０００７】
かかる構成により、羽部の傾斜面の傾斜角度が２６度または２６．５度である一般的な十字ネジ回しを用いたことによって潰れた係合溝を有するネジを、螺旋状の刃の刃先を、潰れた係合溝の縁部に当てることによって、緩める方向に回すことができ、係合溝が潰れたネジを容易に抜き取ることができる。
【０００８】
また、本発明のネジ抜取工具は、前記ネジ抜取工具において、ネジ抜取部の外周側には、複数の刃が並列するよう形成されているネジ抜取工具である。
【０００９】
かかる構成により、複数の刃の刃先が潰れた係合溝の縁部に当たることによって、より確実にネジを緩める方向に回して抜き取ることができる。
【００１０】
また、本発明のネジ抜取工具は、前記ネジ抜取工具において、ネジ抜取部の外周側には、６つの刃が並列するよう形成されているネジ抜取工具である。
【００１１】
かかる構成により、６つの刃の刃先が潰れた係合溝の縁部に当たることによって、より確実にネジを緩める方向に回して抜き取ることができる。
【００１２】
また、本発明のネジ抜取工具は、前記ネジ抜取工具において、螺旋状の刃の回転方向は、ネジのネジ切り方向とは逆方向であるネジ抜取工具である。
【００１３】
かかる構成により、ネジをゆるむ方向に回して、ネジを抜き取ることができる。
【００１４】
また、本発明のネジ抜取工具は、前記ネジ抜取工具において、螺旋状の刃の後端側の側面が、テーパー面に対してなす角度が、刃の前端側の側面が、テーパー面に対してなす角度よりも大きいネジ抜取工具である。
【００１５】
かかる構成により、ネジがゆるむ方向に回した際に、ネジの潰れた係合溝の縁部に刃を食い込ませやすく、あるいは引っかかりやすくして、ネジを確実に緩めることができる。
【００１６】
また、本発明のネジ抜取工具は、前記ネジ抜取工具において、ネジ抜取部の先端が面であるネジ抜取工具である。
【００１７】
かかる構成により、ネジ抜取部の先端が、ネジの潰れた係合溝の底部に当たって、刃が係合溝の縁部に当たらなくなることを防ぐことができる。
【発明の効果】
【００１８】
本発明によるネジ抜取工具によれば、係合溝が潰れたネジを容易に抜き取ることができる。
【図面の簡単な説明】
【００１９】
【図１】実施の形態におけるネジ抜取工具の側面図（図１（ａ））、底面図（図１（ｂ））、片側断面図（図１（ｃ））、および断面部分拡大図（図１（ｄ））
【図２】ネジ抜取工具について説明するための側面図（図２（ａ）〜図２（ｄ））、およびネジの平面図（図２（ｅ）および２（ｆ））
【図３】ネジ抜取工具について説明するための、ネジの潰れた係合溝に、本実施の形態におけるネジ抜取工具の先端部分を押し当てた状態を示す片側断面図（図３（ａ））、および部分拡大図（図３（ｂ））
【発明を実施するための形態】
【００２０】
以下、ネジ抜取工具の実施形態について図面を参照して説明する。なお、実施の形態において同じ符号を付した構成要素は同様の動作を行うので、再度の説明を省略する場合がある。
【００２１】
（実施の形態）
図１は、本実施の形態におけるネジ抜取工具の側面図（図１（ａ））、底面図（図１（ｂ））、片側断面図（図１（ｃ））、および図１（ｃ）の領域Ｉｃの断面部分拡大図（図１（ｄ））である。
【００２２】
図２は、本実施の形態におけるネジ抜取工具の抜取対象となるネジのネジ頭部の係合溝が、十字ネジ回しで潰れる様子を説明するための側面図（図２（ａ）〜図２（ｄ））、およびネジの平面図（図２（ｅ）および２（ｆ））である。ただし、図２（ａ）に示すネジは、図２（ｅ）に示したネジの右側面を示し、図２（ｂ）および図２（ｃ）におけるネジは、図２（ｅ）に示したネジのＩＩｂ−ＩＩｂ線による断面を示し、図２（ｄ）におけるネジは、図２（ｆ）に示したネジのＩＩｄ−ＩＩｄ線による断面を示す。なお、図２（ｂ）に示した十字ネジ回しは、ここでは、図２（ａ）に示した十字ネジ回しを、軸心周りに４５度回転させた状態を示しているものとする。
【００２３】
図３は、本実施の形態におけるネジ抜取工具について説明するための、図２（ｄ）に示した抜取対象となるネジの潰れた係合溝に、本実施の形態におけるネジ抜取工具のネジ抜取部１０２の先端部分を押し当てた状態を示す片側断面図（図３（ａ））、および図３（ａ）の領域ＩＩＩａの部分拡大図（図３（ｂ））である。
【００２４】
まず、ネジ３を回すための十字ネジ回しについて説明する。ネジ頭部３０２に平面形状が十字形状である係合溝３０１を備えたネジ３を回すために用いられる工具である十字ネジ回し２は、図２（ａ）および図２（ｂ）に示すように、十字ネジ回し２の軸体２０１の先端部分に、先端側から軸体２０１の軸心２０１ａ方向に見て十字型の羽部２０２が形成されている。十字型の羽部２０２の外周縁には、先端に向かうに従って、軸心側に傾斜する平面である傾斜面２０２ａが設けられており、十字側の羽部２０２は、先端側が先細りの形状を有している。十字型の羽部２０２の最も先端側の最先端部分２０２ｂは、傾斜面２０２ａよりも、軸心２０１ａに対してなす角度が大きくなるよう、軸心２０１ａ方向に傾斜しており、傾斜した面が集まる先端が尖っている。十字ネジ回し２は、十字型ドライバー等とも呼ばれる。係合溝３０１は、例えば、平面形状が十字形状である。係合溝３０１は、十字ネジ回し２の十字型の羽部２０２の先端側に嵌合する嵌合溝等であってもよい。
【００２５】
一般的に広く用いられている十字ネジ回し２の傾斜面２０２ａの、軸心２０１ａに対する傾斜角度βは、２６度または２６．５度である。例えば、日本工業規格では、いわゆるＨ型のネジ回し２のこの傾斜角度βが２６．５度（公差＋０／−１度）に規定されており、いわゆるＳ型の十字ネジ回し２のこの傾斜角度βが、２６．５度（公差＋０／−１度）に規定されている。本実施の形態においては、ネジ抜取工具１が、傾斜角度βが２６．５度であるＨ型の十字ネジ回し２を用いて回したことによって係合溝３０１が潰れたネジ３を外すために用いられるものである場合を例に挙げて説明する。
【００２６】
ネジ抜取工具１は、軸体１０１と、ネジ抜取部１０２とを備える。
【００２７】
ネジ抜取工具１は、ネジ頭部の係合溝が潰れたネジを抜き取るために用いられる工具である。例えば、ネジ抜取工具１は、図２（ｄ）および図２（ｆ）に示すように、ネジ頭部３０２に十字形状の係合溝３０１を有するネジ３の、この係合溝３０１が潰れた場合に、このネジ３を抜き取るために用いられる工具である。なお、ネジの係合溝は、係合孔と考えてもよい。係合溝が潰れたネジとは、例えば、係合溝の少なくとも一部が欠けたネジや、係合溝の少なくとも一部が削れたネジ、係合溝の少なくとも一部が凹んだネジ、係合溝の形状が変形したネジ等であってもよい。また、係合溝が潰れたネジは、係合溝の一部が潰れたネジであっても良く、係合溝全体が潰れたネジであっても良い。係合溝が潰れたネジは、例えば、十字ネジ回しの十字型の羽部の先端によって係合溝が潰れたネジである。
【００２８】
軸体１０１は、先端と後端とを有し、先端部分にネジ抜取部１０２が形成されている。軸体１０１は、例えば、ネジ抜取部１０２以外の部分の軸方向に垂直な断面形状が正六角形である。ただし、軸体１０１のネジ抜取部１０２以外の軸方向に垂直な端面形状は、どのような形状であっても良く、例えば、円形、または四角形であってもよい。軸体１０１の後端側には、例えば、握り柄（図示せず）等が取付けられていても良い。また、軸体１０１の後端側は、インパクトドライバー、または電動ドライバー等に取付け可能な形状を有していても良い。例えば、軸体１０１の少なくとも後端側の軸方向に垂直な断面形状を、インパクトドライバー、または電動ドライバー等のチャック等に挿入取付け可能な大きさの六角形とし、後端側の軸体１０１の周囲に、抜け止め用の溝（図示せず）等を設けるようにしても良い。軸体１０１の長さおよび径等は問わない。軸体１０１の材質等は問わない。例えば、軸体１０１の材質等としては、ネジ抜取工具１で抜き取ろうとするネジよりも硬い材質であることが好ましい。軸体１０１の材質としては、例えば、クロムバナジウム鋼、クロムモリブデン鋼等の合金鋼や、高炭素鋼、ステンレス鋼等の鋼材が用いられる。
【００２９】
ネジ抜取部１０２は、軸体１０１の先端部分に形成されている。ネジ抜取部１０２は、軸体１０１の先端に向かって先細りとなる形状を有している。ネジ抜取部１０２の外周側は、例えば、軸体１０１の軸心１０１ａ側にテーパー状に傾斜している。先端に向かって先細りの形状とは、例えば、先端に向かって径が縮小していく形状である。なお、ネジ抜取部１０２の最も太い部分（通常は後端側）の径は、抜取対象のネジ３の潰れた係合溝３０１ａの径よりも大きい径とすることが好ましく、最も細い部分（通常は先端側）の径は、潰れた係合溝３０１ａの径よりも小さい径とすることが好ましい。
【００３０】
ネジ抜取部１０２の外周側には、ネジ抜取部１０２の先端側から後端側に向かって螺旋状に伸びる６つの刃１０４が形成されている。刃１０４は、刃先１０４ａがネジ抜取部１０２の外周側に設けられた刃である。６つの刃は、並列するよう形成されている。具体的には、６つの刃は並列して螺旋状に伸びている。６つの刃は、予め決められた間隔を隔てて隣接して形成されている。なお、６つの刃１０４間の間隔や、刃先１０４ａの間隔は、刃１０４の伸びる方向において通常は一定であるが、一定でなくても良い。螺旋状の刃１０４は、例えば、ネジ抜取部１０２の外周側に巻付けられるように形成されている。ここでは、ネジ抜取部１０２の外周側に形成されている刃１０４のそれぞれが、略一巻きの螺旋状の刃１０４である場合について示している。
【００３１】
ネジ抜取部１０２の外周側の刃１０４に挟まれた部分には、溝１０３が形成されている。ここでは６つの刃１０４が形成されているため、６つの溝１０３が形成されている。溝１０３は、隣接する刃１０４に沿って先端側から後端側に向かって螺旋状に伸びている。溝１０３は、通常一定の幅および深さを有しているが、幅および深さは一定でなくても良い。溝１０３の断面形状は問わない。例えば溝１０３の断面形状はＵ字形状やＶ字形状である。
【００３２】
螺旋状の刃１０４のネジ抜取部１０２の先端に向かう螺旋の回転方向は、ネジ抜取工具１の抜取り対象となるネジ３の螺旋状のネジ溝のネジ３の先端に向かう螺旋の回転方向とは逆方向とする。例えば、螺旋状の刃１０４は、ネジ抜取工具１の抜取り対象となるネジ３に対していわゆる逆ネジを切った形状を有するものとなっている。本実施の形態においては、抜取対象となるネジがいわゆる右ネジであり、ネジ抜取部１０２に形成された螺旋状の刃１０４の、ネジ抜取部１０２の先端に向かう螺旋の回転方向が、抜取り対象となる右ネジの先端に向かうネジ溝の螺旋の回転方向とは逆方向、すなわち左回りである場合を例に挙げて示している。なお、抜取り対象となるネジが、左ネジである場合、螺旋状の溝１０３の先端に向かう螺旋の回転方向は、左ネジの先端に向かうネジ溝の螺旋の回転方向とは逆方向、すなわち右回りとすればよい。ここでの刃１０４の先端に向かう方向とは、例えば、刃１０４の、ネジ抜取部１０２の先端に向かう方向である。また、ここでのネジの先端に向かう方向とは、ネジの、ネジ頭部から、ネジの先端、すなわちネジ頭部とは反対側の端部に向かう方向である。なお、螺旋状の刃１０４の、ネジ抜取部１０２の先端に向かう螺旋の回転方向が、ネジ抜取工具１の抜取り対象となるネジ３の螺旋状のネジ溝のネジ３の先端に向かう螺旋の回転方向とは逆方向であるということは、螺旋状の刃１０４を軸体１０１の先端側から後端側に向かって見た場合の螺旋の回転方向が、ネジ３のネジ溝をネジ３の先端側からネジ頭部３０２側に向かって見た場合の螺旋の回転方向に対して逆方向であることと考えてもよい。
【００３３】
６つの刃１０４は、刃先１０４ａが一のテーパー面１０５に含まれるように形成されている。このテーパー面１０５は、仮想のテーパー面である。このテーパー面１０５は、軸体１０１の軸心１０１ａを含む平面と交わる交線が、直線となる面である。このテーパー面１０５は、ネジ抜取部１０２の後端を底面とし、ネジ抜取部１０２の後端から先端に向かう方向を高さ方向とし、軸体１０１の軸心１０１ａを回転軸とした円錐台の側面と同じ形状を有している。このテーパー面１０５は、例えば、ネジ抜取部１０２が先端側に向かって先細りとなるよう軸体１０１の軸心１０１ａ側に傾斜しているテーパー面１０５である。複数の刃１０４は、刃先１０４ａが、例えば、軸体１０１の軸心１０１ａに交わる直線に同時に接するように形成されている。なお、複数の刃１０４は、刃先１０４ａの全ての部分が同一のテーパー面１０５に含まれるよう形成することが好ましいが、その一部は、他の部分と同一のテーパー面１０５に含まれていなくてもよい。同一のテーパー面に接しない部分は、例えば、ネジ抜取部１０２の先端側近傍や、ネジ抜取部１０２の後端側近傍、刃先１０４ａの１以上の箇所に局在する刃１０４の伸びる方向の長さが約２ｍｍ未満の微少な部分等である。先端側近傍とは、例えば、軸心１０１ａ方向において、先端から後端方向に約２ｍｍ未満の位置であり、後端側近傍とは、軸心１０１ａ方向において、後端から先端方向に約２ｍｍ未満の位置である。ネジ抜取部１０２の先端側近傍と後端側近傍の刃先１０４ａは、潰れた係合溝３０１ａに接しない場合が多いと考えられるからである。なお、ここで挙げた微少な部分や、先端側近傍や、後端側近傍を示す数値は、一例であり、実際の数値は、ここで挙げた数値よりも大きくても良く、小さくても良い。
【００３４】
本実施の形態においては、ネジ抜取部１０２の６つの刃１０４の刃先１０４ａを含むテーパー面１０５の、軸体１０１の軸心１０１ａに対する傾斜角度αが、一般的な十字ネジ回し２の傾斜面２０２ａの傾斜角度βである２６．５度より大きい角度となるようにしている。このことは、例えば、ネジ抜取部１０２の６つの刃が、その刃先１０４ａを含むテーパー面１０５の、軸心１０１ａに対する傾斜角度αが、２６．５度より大きい角度となるようにネジ抜取部１０２の外周側に形成されていることと考えてもよい。６つの刃１０４の刃先１０４ａを含むテーパー面１０５の軸心１０１ａに対する傾斜角度αは、例えば、６つの刃１０４の刃先１０４ａを含むテーパー面１０５と軸心１０１ａとが交わる交線である直線が、軸心１０１ａに対してなす角度である。この傾斜角度αは、例えば、軸体１０１の軸心１０１ａを回転軸とした円錐台の側面と同じ形状を有するテーパー面１０５の稜線が、軸心１０１ａに対してなす角度と考えてもよい。この傾斜角度αは、例えば、軸心１０１ａを通るとともに螺旋状の６つの刃１０４の刃先１０４ａに接する直線と、軸心１０１ａとがなす角度と考えてもよい。
【００３５】
各刃１０４は、例えば、ネジ抜取工具１で抜き取ろうとするネジ３を、締める方向とは逆方向、すなわち緩める方向に軸体１０１を回転させた場合に、この刃１０４に当接されるものを切削可能な形状を有しているように形成することが好ましい。切削可能な形状とすることで、例えば、ネジ抜取工具１で抜き取ろうとするネジ３を緩める方向に軸体１０１を回転させた場合に、刃１０４がネジ３のネジ頭部３０２の潰れた係合溝３０１の開口部３０１１の縁部３０１１ａ等に食い込みやすくしたり、引っかかりやすくして、ネジをゆるむ方向に回しやすくなる。なお、潰れた係合溝３０１の開口部３０１１の縁部３０１１ａを、潰れた係合溝３０１の縁部３０１１ａと呼ぶ場合がある。
【００３６】
ここでは、図１（ｄ）に示すように、螺旋状の刃１０４の刃先１０４ａの後端側の側面１０４２がネジ抜取部１０２のテーパー面１０５に対してなす角度Ｒｂが、刃１０４の刃先１０４ａの前端側の側面１０４１がネジ抜取部１０２のテーパー面１０５に対してなす角度Ｒｆよりも大きくなるようにしている。これにより、刃先１０４が軸体１０１の後方側に傾斜することとなり、例えば、ネジ抜取工具１で抜き取ろうとするネジ３を緩める方向に軸体１０１を回転させた場合に、刃１０４の刃先１０４ａがネジ頭部３０２の潰れた係合溝３０１ａの縁部３０１１ａ等に食い込みやすく、あるいは引っかかりやすくなり、ネジ３をゆるむ方向に回しやすくなる。ここでの刃先１０４の側面とは、例えば、刃先１０４ａ近傍の側面である。刃先１０４が軸体１０１の後方側に傾斜するということは、例えば、刃１０４が、根元側から刃先１０４に向かって後方側に傾斜していることと考えても良い。ここでの前端側および後端側は、例えば、軸体１０１の前端側および後端側と考えてよい。ここでの、螺旋状の刃１０４の刃先１０４ａの側面が、テーパー面１０５に対してなす角度Ｒｆ、Ｒｂとは、例えば、軸心１０１ａを含む断面におけるテーパー面１０５に対する刃１０４の刃先１０４ａの側面のなす角度である。なお、刃１０４の後端側の側面１０４２は、溝１０３の前端側の側面と考えてもよい。また、刃１０４の前端側の側面１０４１は溝１０３の後端側の側面と考えてもよい。なお、刃１０４の刃先１０４ａの後端側の側面１０４２がネジ抜取部１０２のテーパー面１０５に対してなす角度Ｒｂが、刃１０４の刃先１０４ａの前端側の側面１０４１がネジ抜取部１０２のテーパー面１０５に対してなす角度Ｒｆよりも大きいということは、刃１０４の断面における刃先１０４ａの二等分線の、刃先１０４ａ側が、軸心１０１ａ側よりも、軸心１０１ａ方向において後方側に位置することと考えても良く、この二等分線が、軸心１０１ａ側から、刃先１０４ａに向かって伸びる方向、言い換えれば外周方向に向かう方向が、軸体１０１の後方側に向かって傾斜していることと考えてもよい。刃の刃先１０４ａの二等分線は、例えば、刃１０４の刃先１０４ａの前端側の側面１０４１と、刃１０４の刃先１０４ａの後端側の側面１０４２とがなす角度の二等分線である。ただし、角度Ｒｂが、角度Ｒｆ以下となるようにしてもよい。
【００３７】
また、ここでは、刃１０４の刃先１０４ａの断面の角度を鋭角としている。これにより、刃１０４は、例えば、ネジ抜取工具１で抜き取ろうとするネジ３を緩める方向に軸体１０１を回転させた場合に、この刃１０４の刃先１０４ａが、この刃先１０４ａに当接されるネジ頭部３０２の潰れた係合溝３０１ａの縁部３０１１ａ等に食い込みやすくなり、軸体１０１に加えた回転方向の力を、ネジに効率良く伝えることができる。なお、刃先１０４ａの断面の角度とは、刃１０４の伸びる方向に垂直な断面における刃先１０４ａの角度、具体的には刃先１０４の近傍における刃１０４の前端側の側面１０４１と後端側の側面１０４２とがなす角度である。ただし、刃１０４の刃先１０４ａの断面の角度は鋭角でなくてもよく、例えば、９０度であっても良く、鈍角であってもよい。
【００３８】
なお、刃１０４は、断面が角である突端を有する凸条であって、この突端が、一のテーパー面１０５に含まれる凸条と考えてもよい。ここでの断面は、凸条の伸びる方向に垂直な断面である。この凸条は外周方向に凸となる線条と考えてもよい。また、この突端が刃先１０４ａに相当すると考えても良い。
【００３９】
ここでは、ネジ抜取部１０２の先端には面１０６が形成されており、ネジ抜取部１０２の先端が尖鋭とならないようにしている。これにより、ネジ抜取部１０２を潰れた係合溝３０１に押し当てた際に、ネジ抜取部１０２の外周側に設けられた刃１０４が、係合溝３０１の縁部３０１１ａに当たる前に、ネジ抜取部１０２の先端がネジの係合溝３０１の底部に当たらないようにしている。なお、先端の面は、通常は平面であるが、凹面や凸面等の曲面であっても良い。また、ネジ抜取部１０２の先端は、ネジ抜取部１０２を潰れた係合溝３０１に押し当てた際に、ネジ抜取部１０２の外周側に設けられた刃１０４が、係合溝３０１の縁部３０１３に当たる前に、ネジ抜取部１０２の先端がネジの係合溝３０１の底部３０１１ｂに当たらないようにすることが可能な形状であれば、どのような形状であってもよい。
【００４０】
次に、ネジ抜取工具１の製造方法の一例について説明する。
まず、軸体１０１の先端部分に、先端に向かって先細りとなるよう、軸心側に傾斜している外周面を形成する。例えば、軸体１０１として用いられる六角柱形状の棒状材料（図示せず）を用意し、この棒状材料を工作機械（図示せず）等を用いて軸心周りに回転させ、棒状材料の先端部分を切削用の切刃（図示せず）等を用いて先端側が先細りとなり、外周面が軸心側に傾斜するよう切削して、先端部分にテーパー状の外周面を形成する。このとき、この外周面と、軸体１０１の軸心１０１ａを通る平面との交線が直線となるようにする。また、軸体１０１の軸心１０１ａに対する外周面の傾斜角度が、２６．５度より大きい角度となるよう外周面を形成する。この外周面が形成された部分がネジ抜取部１０２となる。
【００４１】
そして、この外周面に、ネジ抜取部１０２の先端側から後端側に向かって螺旋状に伸びる６本の溝１０３を隣接するよう形成して、外周面の複数の溝に挟まれた部分が刃先１０４ａとなる刃１０４を複数の溝１０３の間に形成する。例えば、軸体１０１を回転させ、溝切削用の切刃（図示せず）をネジ抜取部１０２の先端から後端側に相対的に移動させながらネジ抜取部１０２のテーパー状の外周面を切削して、６本の螺旋状の溝１０３をネジ抜取部１０２の外周面に刻設する。このとき、隣接する溝１０３間にネジ抜取部１０２のテーパー状の外周面が線状に残るよう各溝１０３を刻設することで、外周面に刃先１０４ａを有する刃１０４が隣接する溝１０３間に形成される。溝１０３の側面の傾斜角度や溝の深さ等は、溝切削用の切刃の形状や、切刃をネジ抜取部１０２の外周面に当てる角度等によって決定される。
【００４２】
なお、ここでの、軸体１０１の先端部分に形成した外周面は、上述したテーパー面１０５に相当するものであり、この外周面を、例えば、テーパー面１０５と考えてもよい。例えば、この外周面は、ネジ抜取部１０２の径が先端に向かう方向の距離に比例して縮小するように、テーパー状に傾斜している面である。また、ここでの刃先１０４ａは、外周面のうちの、隣接する螺旋状の溝の間に残された部分である。また、ここでの軸体１０１の軸心１０１ａに対する外周面の傾斜角度は、上述したテーパー面１０５の、軸体１０１の軸心１０１ａに対する傾斜角度に相当するものであり、軸心１０１ａを含む平面と外周面との交線である直線と、軸心１０１ａとがなす角度と考えてもよい。
【００４３】
なお、上記のように製造されることから、本実施の形態のネジ抜取工具１は、ネジ頭部３０２の係合溝３０１が潰れたネジを抜き取るためのネジ抜取工具１であって、軸体１０１と、軸体１０１の先端部分に形成されており、先端に向かって先細りとなるよう、外周面が軸心側に傾斜しているネジ抜取部１０２と、を備え、ネジ抜取部１０２の外周面には、ネジ抜取部１０２の先端側から後端側に向かって螺旋状に伸びる１以上の溝１０３、例えば６つの溝１０３が隣接するよう形成されており、溝１０３の間には、ネジ抜取部１０２の外周面の溝１０３に挟まれた部分が刃先１０４ａとなる刃１０４が形成されており、軸体１０１の軸心１０１ａに対するネジ抜取部１０２の外周面の傾斜角度が、２６．５度より大きいネジ抜取工具１と考えてもよい。
【００４４】
次に、ネジ抜取工具１を用いたネジの抜取方法等について具体例を挙げて説明する。ここで用いられるネジ３は、ネジ頭部３０２方向から見て時計回り（右回り）に回したときに、先端方向に進む右ネジであるとする。また、ここで用いられるネジ抜取工具１の傾斜角度αは２７度であるとする。
【００４５】
ある部材にねじ込まれた図２（ｅ）に示すようなネジ頭部３０２に十字型の係合溝３０１が設けられたネジ３を取り外すため、または、ある部材にネジ３をねじ込むために、図２（ａ）および図２（ｂ）に示すように、ネジ３の十字形状の係合溝３０１に、傾斜角度βが２６．５度である十字ネジ回し２の羽部２０２の先端側を嵌め込み、図２（ｃ）に示すように、十字ネジ回し２を回したとする。このとき、十字ネジ回し２の羽部２０２によってネジ３の係合溝３０１が潰れてしまったとする。係合溝３０１が潰れた状態のネジ３の軸心３００に沿った断面は、図２（ｄ）のようになり、ネジ頭部３０２の平面図は、図２（ｆ）のようになる。潰れた係合溝３０１ａは、先端側を嵌めた十字型の羽部２０２を軸心２０１ａを中心として回転させたことによって、係合溝３０１が潰れて形成されたものであることから、潰れた係合溝３０１ａの開口部３０１１の平面形状は、例えば、略円形となり、潰れた係合溝３０１ａの開口部３０１１側の内側面３０１２がネジ３の軸心３００に対してなす角度は、傾斜角度βと略同じ角度、すなわち略２６．５度となったとする。なお、潰れた係合溝３０１ａの開口部３０１１側の内側面３０１２がネジ３の軸心３００に対してなす角度とは、ネジ３の軸心３００を含む平面と係合溝３０１ａの内側面３０１２とが交わる交線が、ネジ３の軸心３００に対してなす角度である。なお、内側面３０１２は、軸心３００周りを回転する羽部２０２の傾斜面２０２ａで削られた面であり、傾斜面２０２ａは平面であることから、上記の交線は、直線となる。
【００４６】
上記のような潰れた係合溝３０１ａを有するネジ３をある部材から抜き取るために、ネジ抜取工具１を、図３（ａ）に示すように、ネジ３の潰れた係合溝３０１ａ内に、ネジ抜取部１０２の先端側を押し込むように挿入して、軸体１０１をネジ３を嵌め込む際に回す方向とは逆方向である左方向に回転させる。ネジ抜取工具１を係合溝３０１ａに挿入する際には、軸体１０１の軸心１０１ａと、ネジ３の軸心３００とが略同一直線上に位置するように挿入することが好ましい。ネジ抜取工具１のネジ抜取部１０２の外周面の傾斜角度αは、十字ネジ回し２の羽部２０２の傾斜面２０２ａの傾斜角度β、すなわち２６．５度より大きい角度である２７度であるため、図３（ｂ）に示すように、ネジ抜取部１０２の６本の刃１０４の外周側に位置する刃先１０４ａの一部が、潰れた係合溝３０１ａの縁部３０１１ａに当接されることとなる。潰れた係合溝３０１ａの縁部３０１１ａとは、例えば、ネジ３の潰れた係合溝３０１の内側面の、ネジ頭部３０２の表面が交わる部分（例えば内側面とネジ頭部３０２の表面とがなす角）やその近傍である。刃１０４は先端側から後端側に向かって左回りに螺旋状に伸びており、この刃１０４は外周側に刃先が形成されているため、上記のようにネジ抜取部１０２の先端側を押し込むように挿入した状態で軸体１０１を軸心１０１ａを回転軸として左周りに回転させると、ネジ抜取部１０２にネジ３方向にねじ込まれようとする力が加わり、刃１０４の、係合溝３０１の縁部３０１１ａに当接されている刃先１０４ａが、係合溝３０１の開口部３０１１の縁部３０１１ａに食い込もうとする。これにより、ネジ抜取工具１の軸体１０１に加えられた回転力が、ネジ３に伝達され、ネジ３がゆるむ方向に回転して部材から抜き出される。
【００４７】
以上、本実施の形態においては、ネジ頭部の中心部にあらかじめ下穴を穿設することなく、係合溝が潰れたネジをネジがゆるむ方向に回転させることができ、係合溝が潰れたネジを容易に抜き取ることができる。
【００４８】
なお、上記具体例においては、傾斜角度αを２７度としたネジ抜取工具１を用いた場合について説明したが、ネジ抜取工具１の傾斜角度αは、一般的な十字ネジ回しの傾斜角度βである２６．５度より大きければよい。
【００４９】
また、上記実施の形態においては、羽部２０２の傾斜面２０２ａの傾斜角度βが、２６．５度である一般的な十字ネジ回し２を用いたことによって潰れた係合溝３０１を有するネジを、ネジ抜取工具１で抜き取る場合を例に挙げて説明したが、ネジ抜取工具１は、傾斜角度βが２６．５度である十字ネジ回しと同様に一般的に用いられる傾斜角度βが２６度の十字ネジ回しを用いたことによって係合溝３０１が潰れたネジ３を抜き取る際にも利用することができる。本実施の形態のネジ抜取工具１のネジ抜取部１０２の傾斜角度αは２６．５度よりも大きい角度であるため、傾斜角度βが２６度である十字ネジ回しを用いたことで潰れたネジ３の係合溝３０１ａの縁部３０１１ａに対しても、上記の具体例と同様に、ネジ抜取部１０２の螺旋状の刃１０４を食い込ませて、あるいは引っかけて、ネジ３を緩める方向に回すことが可能である。
【００５０】
つまり、ネジ抜取工具１の傾斜角度αが、一般的な十字ネジ回し２（例えば、Ｈ型の十字ネジ回しや、Ｓ型の十字ネジ回し）の傾斜角度βである２６度および２６．５度より大きければ、一般的な十字ネジ回し２によって潰れた係合溝を有するネジ３を回して抜き取ることができる。すなわち、ネジ抜取工具１の傾斜角度αは、２６．５度よりも大きければよい。
【００５１】
なお、傾斜角度αが大きすぎると、ネジ３の潰れた係合溝３０１ａの縁部３０１１ａに刃１０４が食い込まなくなったり引っ掛からなくなったりすることから、傾斜角度αは、ネジ３の潰れた係合溝３０１ａの縁部３０１１ａに刃１０４が食い込ましたり、引っかけたりすることが可能な範囲の値であることが好ましい。
【００５２】
また、上記実施の形態においては、ネジ抜取部１０２が６本の螺旋状の刃１０４を有する場合について説明したが、螺旋状の刃１０４の数は１以上であればその数は問わない。また、螺旋状の溝１０３を形成して、隣接した溝１０３の間に刃１０４を形成する場合、形成する溝１０３の数は、２以上であればよい。
【００５３】
また、上記実施の形態においては、螺旋状の刃１０４のそれぞれの巻数が略一巻きとした場合について説明したが、刃１０４の巻数は問わない。例えば、刃１０４の巻数は、１／２巻や、１／３巻等、１巻よりも少ない巻数であってもよく、１巻以上の巻数としてもよい。刃１０４の巻数は、例えば、ネジ抜取部１０２の外周に設けられる螺旋状の刃１０４の数や、ネジ抜取部１０２の高さや径等に応じて変更しても良い。
【００５４】
なお、抜取対象となるネジ３のネジ頭部３０２等の形状は問わない。例えば、ネジ３のネジ頭部３０２の形状は、皿形状であっても良く、ナベ形状であっても良く、丸皿形状であってもよい。
【００５５】
本発明は、以上の実施の形態に限定されることなく、種々の変更が可能であり、それらも本発明の範囲内に包含されるものであることは言うまでもない。
【産業上の利用可能性】
【００５６】
以上のように、本発明にかかるネジ抜取工具は、ネジを抜き取る工具として適しており、特に、ネジ頭部の係合溝が潰れたネジを抜き取る工具等として有用である。
【符号の説明】
【００５７】
１  ネジ抜取工具
２  ネジ回し
３  ネジ
１０１  軸体
１０１ａ  軸心
１０２  ネジ抜取部
１０３  溝
１０４  刃
１０４ａ  刃先
１０５  テーパー面
１０６  面
【図１】
2019014023.tif 000003
【図２】
2019014023.tif 000004
【図３】
2019014023.tif 000005
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
ネジ頭部の係合溝が潰れたネジを抜き取るためのネジ抜取工具であって、
軸体と、
前記軸体の先端部分に形成されており、先端に向かって先細りとなる形状を有するネジ抜取部と、を備え、
前記ネジ抜取部の外周側には、刃先が外周側に設けられた刃であって、前記ネジ抜取部の先端側から後端側に向かって螺旋状に伸びる１以上の刃が形成されており、
前記１以上の刃の刃先を含むテーパー面の、前記軸体の軸心に対する傾斜角度が、２６．５度より大きく、
前記係合溝の縁部に前記刃が食い込むまたは引っかかり、前記ネジを抜き取ることができ、前記係合溝を切削しないネジ抜取工具。
【請求項２】
前記ネジ抜取部の外周側には、複数の刃が並列するよう形成されている請求項１記載のネジ抜取工具。
【請求項３】
前記ネジ抜取部の外周側には、６つの刃が並列するよう形成されている請求項１または請求項２記載のネジ抜取工具。
【請求項４】
前記螺旋状の刃の回転方向は、前記ネジのネジ切り方向とは逆方向である請求項１から請求項３いずれか一項記載のネジ抜取工具。
【請求項５】
前記螺旋状の刃の後端側の側面が、前記テーパー面に対してなす角度が、当該刃の前端側の側面が、前記テーパー面に対してなす角度よりも大きい請求項１から請求項４いずれか一項記載のネジ抜取工具。
【請求項６】
前記ネジ抜取部の先端が面である請求項１から請求項５いずれか一項記載のネジ抜取工具。